【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
感光体と、
第１画像データの各画素の階調を前記感光体における像高に応じて補正して第２画像データを出力する補正手段と、
前記第２画像データを複数の画素を含むディザマトリクスによりハーフトーン処理し、形成する画像の各画素の露光領域を判定するハーフトーン処理手段と、
前記ハーフトーン処理手段が判定した各画素の露光領域に基づき、像高に応じて走査速度が変化する光で前記感光体を走査して潜像を形成する走査手段と、
を備えており、
前記走査手段は、前記各画素の露光領域に基づき、画素の全領域を露光する全体露光ではなく画素の一部分の領域を露光する部分露光を、前記各画素に対して行うことを特徴とする画像形成装置。
【請求項２】
前記走査手段は、前記ディザマトリクスが第１階調値である場合は、前記各画素に対して前記部分露光を行い、前記ディザマトリクスが前記第１階調値よりも大きい第２階調値である場合は、前記各画素の少なくともひとつの画素に対して前記全体露光を行うことを特徴とする請求項１に記載の画像形成装置。
【請求項３】
前記走査手段は、前記ディザマトリクスが最も大きい階調である第３階調値である場合は、前記各画素に対して前記全体露光を行うことを特徴とする請求項２に記載の画像形成装置。
【請求項４】
前記ディザマトリクスが前記第１階調値から大きくなるに従い、前記各画素のうち、前記走査手段により前記全体露光が行われる画素の数は増えることを特徴とする請求項２又は３に記載の画像形成装置。
【請求項５】
前記ディザマトリクスの階調値が前記第１階調値よりも小さい第４階調値から前記第１階調値までの範囲内である場合、前記ディザマトリクスの階調値が前記第４階調値から前記第１階調値に増加するに従い、前記走査手段は、前記各画素のうちの少なくともひとつの画素の露光領域を順次増加させた後に減少させることを特徴とする請求項２又は３に記載の画像形成装置。
【請求項６】
前記ディザマトリクスの階調値が前記第４階調値から前記第１階調値までの前記範囲内である場合、前記走査手段は、前記各画素のうち少なくともひとつの画素に対して前記全体露光を行うことを特徴とする請求項５に記載の画像形成装置。
【請求項７】
前記第１階調値での第１画素の露光領域は、前記第１階調値より小さい第５階調値での前記第１画素の露光領域より大きいことを特徴とする請求項２から６のいずれか１項に記載の画像形成装置。
【請求項８】
前記第１階調値での第２画素の露光領域は、前記第１階調値より小さい第６階調値での前記第２画素の露光領域より小さいことを特徴とする請求項２から７のいずれか１項に記載の画像形成装置。
【請求項９】
前記第２画像データの画素の階調値の最大値は、前記第１画像データの画素の階調値の最大値以下であり、かつ、当該画素の前記感光体における像高に応じて異なることを特徴とする請求項１から８のいずれか１項に記載の画像形成装置。
【請求項１０】
前記第２画像データの画素の階調値の最大値は、当該画素の前記感光体における像高での前記走査手段による走査速度が低くなる程、減少することを特徴とする請求項９に記載の画像形成装置。
【請求項１１】
感光体と、
第１画像データの各画素の階調を前記感光体における像高に応じて補正して第２画像データを出力する補正手段と、
前記第２画像データを複数の画素を含むディザマトリクスによりハーフトーン処理し、形成する画像の各画素の露光領域を判定するハーフトーン処理手段と、
前記ハーフトーン処理手段が判定した各画素の露光領域に基づき、像高に応じて走査速度が変化する光で前記感光体を走査して潜像を形成する走査手段と、
を備えており、
前記ディザマトリクスの前記複数の画素のそれぞれは、第１領域の画素と第２領域の画素に分類され、
前記ハーフトーン処理において、前記ディザマトリクスの階調値が第１閾値より大きく、かつ、第２閾値以下であると、前記第１領域の露光面積は、当該階調値が前記第１閾値のときの前記第１領域の露光面積より小さいことを特徴とする画像形成装置。
【請求項１２】
前記ハーフトーン処理において、前記ディザマトリクスの階調値が前記第１閾値以上で、かつ、前記第２閾値より小さいと、前記第２領域の露光面積は、前記第１領域の露光面積より小さいことを特徴とする請求項１１に記載の画像形成装置。
【請求項１３】
前記ハーフトーン処理において、前記ディザマトリクスの階調値が前記第１閾値以上で、かつ、前記第２閾値以下であると、前記ディザマトリクスの階調値の増加と共に前記第１領域の露光面積が減少することを特徴とする請求項１１又は１２に記載の画像形成装置。
【請求項１４】
前記ハーフトーン処理において、前記ディザマトリクスの階調値が前記第１閾値以上で、かつ、前記第２閾値以下であると、前記ディザマトリクスの階調値の増加と共に前記第２領域の露光面積が増加することを特徴とする請求項１１から１３のいずれか１項に記載の画像形成装置。
【請求項１５】
前記ハーフトーン処理において、前記ディザマトリクスの階調値が前記第１閾値以下であると、前記ディザマトリクスの階調値の増加と共に前記第１領域の露光面積が増加することを特徴とする請求項１１から１４のいずれか１項に記載の画像形成装置。
【請求項１６】
前記ハーフトーン処理において、前記ディザマトリクスの階調値が前記第１閾値以下であると、前記第１領域の露光面積は連続しており、前記第２領域は未露光であることを特徴とする請求項１１から１５のいずれか１項に記載の画像形成装置。
【請求項１７】
前記ハーフトーン処理において、前記ディザマトリクスの階調値が前記第２閾値であると、前記ディザマトリクスの各画素の露光面積は同じであり、前記ディザマトリクスの各画素は未露光の部分を有することを特徴とする請求項１１から１６のいずれか１項に記載の画像形成装置。
【請求項１８】
前記ディザマトリクスの階調値は、前記ディザマトリクスの複数の画素の階調値が同じであるときの、前記複数の画素の当該階調値であることを特徴とする請求項１１から１７のいずれか１項に記載の画像形成装置。
【請求項１９】
前記第２画像データの画素の階調値の最大値は、前記第１画像データの画素の階調値の最大値以下であり、かつ、当該画素の前記感光体における像高に応じて、前記走査手段による走査速度が低くなる程、減少することを特徴とする請求項１１から１８のいずれか１項に記載の画像形成装置。
【請求項２０】
前記第２閾値は、前記第２画像データにおける各像高の階調値の最大値の内の最小値より小さいことを特徴とする請求項１１から１９のいずれか１項に記載の画像形成装置。
【請求項２１】
感光体と、
画像データをディザマトリクスによりハーフトーン処理し、形成する画像の各画素の露光領域を判定するハーフトーン処理手段と、
前記ハーフトーン処理手段が判定した各画素の露光領域を画素の前記感光体における像高に応じて補正する補正手段と、
前記補正手段による各画素の補正後の露光領域に基づき、像高に応じて走査速度が変化する光で前記感光体を走査して潜像を形成する走査手段と、
を備えていることを特徴とする画像形成装置。
【請求項２２】
前記補正手段は、前記走査手段による走査速度が第１閾値以上となる像高の画素については、前記ハーフトーン処理手段が判定した露光領域の補正を行わないことを特徴とする請求項２１に記載の画像形成装置。
【請求項２３】
前記補正手段は、前記走査手段による走査速度が前記第１閾値より小さくなる像高の画素については、前記ハーフトーン処理手段が判定した露光領域を減少させる補正を行うことを特徴とする請求項２２に記載の画像形成装置。
【請求項２４】
前記補正手段は、前記走査手段による走査速度が前記第１閾値より小さくなる像高の画素について、補正後の露光領域を走査速度に応じて決定することを特徴とする請求項２３に記載の画像形成装置。
【手続補正２】
【補正対象書類名】明細書
【補正対象項目名】０００６
【補正方法】変更
【補正の内容】
【０００６】
本発明の一側面によると、画像形成装置は、感光体と、第１画像データの各画素の階調を前記感光体における像高に応じて補正して第２画像データを出力する補正手段と、前記第２画像データを複数の画素を含むディザマトリクスによりハーフトーン処理し、形成する画像の各画素の露光領域を判定するハーフトーン処理手段と、前記ハーフトーン処理手段が判定した各画素の露光領域に基づき、像高に応じて走査速度が変化する光で前記感光体を走査して潜像を形成する走査手段と、を備えており、前記走査手段は、前記各画素の露光領域に基づき、画素の全領域を露光する全体露光ではなく画素の一部分の領域を露光する部分露光を、前記各画素に対して行うことを特徴とする。